(57)【要約】【課題】ケーブル類の保持と敷布への把時固定する機能を併せ持ち、一操作でこれらの機能を発揮し得るケーブル保持用シーツ鉗子を提供する【解決手段】ケーブル保持用シーツ鉗子１０は、ケーブル類の保持を行う長手の第１湾曲部１１，１２、敷布の把持を行う短手の第２湾曲部１３，１４を有し、第１湾曲部１１，１２の内周壁に沿って固定された表面が波形の弾性保持部材２２，２３によって、複数のケーブル１，２，３が保持されている。第２湾曲部１３，１４では、シーツ等の敷布が把時される（図示せず）。アーム部の開閉操作によって、ケーブル類の保持とシーツへの固定を一度に行うことができ、また、爪部２１ａ〜２１ｄによって、ケーブル類の挟み込みを防止することができる。【選択図】図１
2015027318.tif 000002
【特許請求の範囲】
【請求項１】
連結軸を回動支点として互いに回動可能な一対のアーム部と、前記一対のアーム部のそれぞれの先端側に形成されてケーブル類の保持及び敷布の把持を行う一対の先端部と、前記一対のアーム部のそれぞれの後端側に形成されて前記アーム部を回動操作する一対の操作部と、を有し、
前記先端部は、
ケーブル類の保持を行う第１湾曲部と、
敷布の把持を行う第２湾曲部と、
の二段湾曲により形成されていることを特徴とするケーブル保持用シーツ鉗子。
【請求項２】
前記一対のアーム部のうちの一方には、前記第１湾曲部の後端近傍及び前記第１湾曲部と前記第２湾曲部とが連結された谷部近傍に、前記アーム部の回動方向と同一の方向に向かう爪部がそれぞれ形成されていることを特徴とする請求項１記載のケーブル保持用シーツ鉗子。
【請求項３】
前記爪部は、前記アーム部の回動方向に湾曲していることを特徴とする請求項２記載のケーブル保持用シーツ鉗子。
【請求項４】
前記第１湾曲部の凹側同士で形成される隙間には、前記第１湾曲部の内周壁に沿う板状の弾性保持部材をそれぞれ有することを特徴とする請求項１から３のいずれか記載のケーブル保持用シーツ鉗子。
【請求項５】
前記弾性保持部材は、一端が前記アーム部に固定され、他端は前記アーム部に摺動自在に当接されていることを特徴とする請求項４記載のケーブル保持用シーツ鉗子。
【請求項６】
前記弾性保持部材は、平板形、蛇腹形、波形、円形、楕円形、多角形のうちのいずれか１形状に形成されていることを特徴とする請求項４又は５記載のケーブル保持用シーツ鉗子。
【発明の詳細な説明】
【技術分野】
【０００１】
本発明は、鏡視下手術等に用いられる機器等のケーブル類を保持して敷布に固定するケーブル保持用シーツ鉗子に関する。
【背景技術】
【０００２】
鏡視下手術等では、メスや照明といった複数の機器等を使用するため、機器に接続される電気コードや光ファイバーケーブルやガス用チューブや給水・ドレインコードといったケーブル類によって術野が煩雑となる。このため、ガーゼ等を用いてケーブル類を結紮して束ね、そのガーゼ等をシーツ鉗子にて敷布に把時固定する手法がとられている（図５）。
【０００３】
また、ケーブル類を鉗子の中に有する内視鏡用鉗子や電気メスのコードを鉗子軸内にもつものが存在する（特許文献１，２参照）。
【先行技術文献】
【特許文献】
【０００４】
【特許文献１】特開２０１２−０７５８８６号公報
【特許文献２】特開２００５−２１１６８３号公報
【発明の概要】
【発明が解決しようとする課題】
【０００５】
しかしながら、図５に示す手法は、ケーブル類の結紮と敷布に把時固定する機能は別々であることから、準備に手間がかかり、手術のための準備時間も長くなる。また、ケーブル類の固定が不安定であったり、無理に結紮してケーブル類がつぶれたりするという問題がある。
【０００６】
また、上述の従来例では、シーツやタオルを保持する機能を有するシーツ鉗子やタオル鉗子は多く存在するものの、ケーブル類を保持する機能を併せ持つもの、若しくは、ケーブル保持のみを目的とした鉗子は存在しない。
【０００７】
そこで、本発明は、ケーブル類の保持と敷布への把時固定する機能を併せ持ち、一操作でこれらの機能を発揮し得るケーブル保持用シーツ鉗子を提供する。
【課題を解決するための手段】
【０００８】
上記課題を解決するために、本発明は、以下のものを提供する。
【０００９】
（１）  連結軸を回動支点として互いに回動可能な一対のアーム部と、前記一対のアーム部のそれぞれの先端側に形成されてケーブル類の保持及び敷布の把持を行う一対の先端部と、前記一対のアーム部のそれぞれの後端側に形成されて前記アーム部を回動操作する一対の操作部と、を有し、前記先端部は、ケーブル類の保持を行う第１湾曲部と、敷布の把持を行う第２湾曲部と、の二段湾曲により形成されていることを特徴とするケーブル保持用シーツ鉗子。
【００１０】
本発明によれば、ケーブル保持用シーツ鉗子の先端部は二段湾曲により形成されており、アーム部の開閉によって、第１湾曲部でケーブル類の保持を行うことができ、第２湾曲部で敷布の把持を行うことができることから、一操作で必要な作業が完了し、手術の準備期間の短縮が可能となる。
【００１１】
（２）  前記一対のアーム部のうちの一方には、前記第１湾曲部の後端近傍及び前記第１湾曲部と前記第２湾曲部とが連結された谷部近傍に、前記アーム部の回動方向と同一の方向に向かう爪部がそれぞれ形成されていることを特徴とするケーブル保持用シーツ鉗子。
【００１２】
本発明によれば、アーム部の回動方向と同一の方向に向かう爪部が第１湾曲部の後端近傍及び谷部近傍に形成されていることから、この爪部がストッパーとしての機能を発揮して、アーム部の開閉に伴うケーブル類の挟み込みを防止することができる。また、この爪部をケーブル類の挟み込みを防止する目安として使用者に目視させることができる。
【００１３】
（３）  前記爪部は、前記アーム部の回動方向に湾曲していることを特徴とするケーブル保持用シーツ鉗子。
【００１４】
本発明によれば、爪部はアーム部の回動方向に湾曲していることから、アーム部の開閉によってケーブル類を挟み込みそうになった場合でも、ケーブル類が爪部を摺動して内側へ誘導され、ケーブル類の挟み込みをより効果的に防止することができる。
【００１５】
（４）  前記第１湾曲部の凹側同士で形成される隙間には、前記第１湾曲部の内周壁に沿う板状の弾性保持部材をそれぞれ有することを特徴とするケーブル保持用シーツ鉗子。
【００１６】
本発明によれば、ケーブル類の保持を行う第１湾曲部の凹側同士で形成される隙間には、弾性保持部材をそれぞれ有することから、アーム部の開閉に伴う過大圧によりケーブル類（特に光ファイバーケーブル）の破損を防止することができる。
【００１７】
（５）  前記弾性保持部材は、一端が前記アーム部に固定され、他端は前記アーム部に摺動自在に当接されていることを特徴とするケーブル保持用シーツ鉗子。
【００１８】
本発明によれば、弾性保持部材の一端をアーム部に固定し、他端をアーム部に摺動自在に当接していることから、弾性保持部材に可動性をもたせることで、アーム部の開閉に伴う過大圧によりケーブル類（特に光ファイバーケーブル）の破損をより効果的に防止することができる。
【００１９】
（６）  前記弾性保持部材は、平板形、蛇腹形、波形、円形、楕円形、多角形のうちのいずれか１形状に形成されていることを特徴とするケーブル保持用シーツ鉗子。
【００２０】
本発明によれば、弾性保持部材の形状に応じたケーブル保持用シーツ鉗子の使用が可能となり、径の異なるケーブル類についても確実な保持ができる。
【発明の効果】
【００２１】
本発明のケーブル保持用シーツ鉗子は、アーム部の開閉という一操作で、ケーブル類の保持及び敷布の把持を行うことができるとともに、ケーブル類の挟み込み及びケーブル類の破損を防止するという効果がある。
【図面の簡単な説明】
【００２２】
【図１】本発明の実施の形態に係るケーブル保持用シーツ鉗子の閉状態を示す図。
【図２】本発明の実施の形態に係るケーブル保持用シーツ鉗子の開状態を示す図。
【図３】図２のＡ領域の部分拡大側面図。
【図４】本発明の実施の形態に係るケーブル保持用シーツ鉗子の使用状態を示す図。
【図５】従来の例を示す図。
【発明を実施するための形態】
【００２３】
本発明の実施の形態について、図面に基づいて説明する。
【００２４】
図１は、本発明の実施の形態に係るケーブル保持用シーツ鉗子１０の閉状態を示す図、図２は、本発明の実施の形態に係るケーブル保持用シーツ鉗子１０の開状態を示す図である。
【００２５】
ケーブル保持用シーツ鉗子１０は、ケーブル類の保持を行う長手の第１湾曲部１１，１２、敷布の把持を行う短手の第２湾曲部１３，１４、連結軸（ピン）１９を介して回動自在に連結した挟持部１５，１６、指を挿入するための操作部１７，１８を有する。第１湾曲部１１，第２湾曲部１３，挟持部１５，操作部１７によってアーム部の一方を形成し、第１湾曲部１２，第２湾曲部１４，挟持部１６，操作部１８によってアーム部の他方を形成しており、これら一対のアーム部によって連結軸１９を回動支点として互いに回動可能となっている。また、第１湾曲部１１及び第２湾曲部１３、第１湾曲部１２及び第２湾曲部１４は、それぞれ本願発明の「先端部」に相当する。
【００２６】
ラチェット機構２０は、操作部１７，１８の操作によって開閉され、連結軸１９によって回動自在に連結されている挟持部１５，１６を所定角度で保つものである。なお、本実施形態では手で開閉を行うケーブル保持用シーツ鉗子を取り上げているが、サーボモータによる電動又は油圧制御によって開閉挟持を行う機構を操作部として取り付けることも可能である。
【００２７】
アーム部は、耐熱性プラスチック又は耐食性を有する金属（ステンレス、チタン、チタン合金、シリコン樹脂、ウレタン、その他のプラスチック、又はカーボンナノチューブ）からなり、容易に洗浄・消毒することができ、耐食性、耐熱性に優れ衛生性や安全性、耐久性に優れている。
【００２８】
二段湾曲を形成する第１湾曲部１１，１２と第２湾曲部１３，１４とは、アーム部の開閉方向外側に凸に湾曲しており、第１湾曲部１１，１２、第２湾曲部１３，１４のそれぞれの凹側同士で隙間が形成され、この隙間にケーブル類や敷布が入り込むことになる。
【００２９】
第１湾曲部１１，１２は、挟持部１５，１６の先端から第２湾曲部１３，１４の後端に亘って、また、第２湾曲部１３，１４は、第１湾曲部１１，１２の先端から一体形成されている。ケーブル保持用シーツ鉗子１０の閉状態において、第１湾曲部１１，１２と第２湾曲部１３，１４とで形成される隙間は、挟持部１５，１６の先端と第２湾曲部１３，１４の先端とで閉じており、第１湾曲部１１，１２の先端（第２湾曲部１３，１４の後端）では閉じていない。すなわち、ケーブル保持用シーツ鉗子１０の閉状態において、第２湾曲部１３，１４の先端同士は当接し、敷布（シーツ）を把時することによりケーブル保持用シーツ鉗子１０を固定する。
【００３０】
第１湾曲部１１，第２湾曲部１３，挟持部１５，操作部１７によって形成されるアーム部の先端部には、爪部２１ａ，２１ｂ，２１ｃ，２１ｄが形成されている。具体的には、爪部２１ａ，２１ｂは、第１湾曲部１１の後端近傍にアーム部の回動方向と同一の方向に湾曲して形成され、爪部２１ｃ，２１ｄは、第１湾曲部１１と第２湾曲部１３とが連結された谷部近傍にアーム部の回動方向と同一の方向に湾曲して形成されている。ケーブル保持用シーツ鉗子１０の閉状態において、爪部２１ａ，２１ｂは第１湾曲部１２に外側で当接し、爪部２１ｃ，２１ｄは第１湾曲部１２と第２湾曲部１４とが連結された谷部近傍に外側で当接する。なお、本実施形態では爪部を４つ形成しているが、例えば表面（２１ａ，２１ｃ）又は裏面（２１ｂ，２１ｄ）のみの２つとしてもよい。
【００３１】
弾性保持部材２２，２３は、第１湾曲部１１，１２の内周壁に沿う板状部材であり、図１及び図２では複数段の波形のものを示している。弾性保持部材２２，２３をアーム部に固定する固定部２４，２５は、弾性保持部材２２，２３を容易に取り外して、洗浄・消毒・交換が可能なように構成することもでき、また、漏電等の事故を防ぐために、少なくとも弾性保持部材２２，２３の表面は絶縁性を備えることが好ましい。また、弾性保持部材２２，２３は、バネや形状記憶部材などを採用することができる。
【００３２】
次に、図２のＡ領域の部分拡大側面図を示す図３について説明すると、弾性保持部材２２，２３は、先端側がアーム部に固定部２５で固定され、後端側は固定部２４でアーム部に摺動自在に当接されて固定される。具体的には、アーム部の第１湾曲部１１に切欠孔２６を形成し、固定部２４は切欠孔２６の範囲内で摺動自在となっている、いわゆるアジャスト機能を備えている。これにより、ケーブル類を無理に弾性保持部材２２，２３で圧迫したり、弾性保持部材２２自身が塑性変形したりするような保持圧を緩和することができる。なお、この機能は、アーム部の第１湾曲部１２でも同様である。
【００３３】
図４は、本発明の実施の形態に係るケーブル保持用シーツ鉗子１０の使用状態を示す図であり、弾性保持部材２２，２３によって複数のケーブル１，２，３が保持されている。なお、第２湾曲部１３，１４によるシーツの把時状態は省略している。シーツの把持は、第２湾曲部１３，１４の各々の先端でシーツを挟んで行ったり、把持部材をシーツに被せ、把持部材を第２湾曲部１３，１４及び爪部２１ｃ，２１ｄで形成される隙間Ｑ内で挟み込み、加えて、第２湾曲部１３，１４の各々の先端でシーツを挟んで行ったりすることができる。なお、把持部材をシーツに被せ、把持部材を第１湾曲部１１，１２の後端及び爪部２１ａ，２１ｂで形成される隙間Ｐ内で挟み込んでもよく、隙間Ｐや隙間Ｑを活用することで、ケーブル保持用シーツ鉗子１０のシーツへの固定をより強固にすることができる。
【符号の説明】
【００３４】
１，２，３  ケーブル
１０  ケーブル保持用シーツ鉗子
１１，１２  第１湾曲部
１３，１４  第２湾曲部
１５，１６  挟持部
１７，１８  操作部
１９  連結軸（ピン）
２０  ラチェット機構
２１ａ〜２１ｄ  爪部
２２，２３  弾性保持部材
２４，２５  固定部
２６  切欠孔
Ｐ，Ｑ  隙間
【図１】
2015027318.tif 000003
【図２】
2015027318.tif 000004
【図３】
2015027318.tif 000005
【図４】
2015027318.tif 000006
【図５】
2015027318.tif 000007